(57)【要約】  【課題】  温水床暖房装置の使用又は不使用に関する契約データを格納する記憶装置に異常が発生した場合にも、使用の契約をした入居者に渡された遠隔操作器の操作によって使用できるようにすること。  【解決手段】  中継器１１の所定の操作部を操作すると、マイコン２１は記憶装置３６内の温水床暖房装置の使用又は不使用に関する契約データが異常であるかをチェックする。異常でなければ、契約中のものかをマイコン２１が判定し、契約中であればマイコン２１は温水床暖房装置が運転を開始するように制御し、契約中でなければ運転は開始されず、非契約である旨をブザー３７により所定時間だけ警報報知する。この異常であるとマイコン２１が判定した場合でも、遠隔操作器１０の運転スイッチ１５を押圧操作すると、異常であるか否かを再度チェックし、異常であると判定した場合でも温水床暖房装置が運転を開始するように制御する。  【選択図】  図３
2006029730.tif 000002
【特許請求の範囲】
【請求項１】
床暖房パネルと熱源機との間で循環ポンプを介して温水を循環させて暖房を行なう暖房装置と、前記熱源機を制御するための遠隔操作器と、室内の壁面に設置され前記遠隔操作器からの制御信号を無線で受信して前記熱源機へ伝達するための中継器とを備えた温水床暖房装置において、本床暖房装置の使用又は不使用に関する契約データを格納する記憶装置と、前記中継器の予め定められた所定の操作部が操作されると前記記憶装置に格納された契約データに異常があるか否かを判定する判定手段と、この判定手段が異常が無いと判定したときに前記記憶装置に格納された契約データに基づいて本床暖房装置を使用可能又は使用不可能に制御する制御装置とを前記中継器に設けたことを特徴とする温水床暖房装置。
【請求項２】
床暖房パネルと熱源機との間で循環ポンプを介して温水を循環させて暖房を行なう暖房装置と、前記熱源機を制御するための遠隔操作器と、室内の壁面に設置され前記遠隔操作器からの制御信号を無線で受信して前記熱源機へ伝達するための中継器とを備えた温水床暖房装置において、本床暖房装置の使用又は不使用に関する契約データを格納する記憶装置と、前記中継器の電源投入後に該中継器の予め定められた所定の操作部が操作されると前記記憶装置に格納された契約データに異常があるか否かを判定する判定手段と、この判定手段が異常が無いと判定したときに前記記憶装置に格納された契約データに基づいて本床暖房装置を使用可能又は使用不可能に制御する制御装置とを前記中継器に設けたことを特徴とする温水床暖房装置。
【請求項３】
床暖房パネルと熱源機との間で循環ポンプを介して温水を循環させて暖房を行なう暖房装置と、前記熱源機を制御するための遠隔操作器と、室内の壁面に設置され前記遠隔操作器からの制御信号を無線で受信して前記熱源機へ伝達するための中継器とを備えた温水床暖房装置において、本床暖房装置の使用又は不使用に関する契約データを格納する記憶装置と、前記中継器の予め定められた所定の操作部が操作されると前記記憶装置に格納された契約データに異常があるか否かを判定する第１の判定手段と、この第１の判定手段が異常が有ると判定したときに前記遠隔操作器の運転スイッチが操作されると再度前記記憶装置に格納された契約データに異常があるか否かを判定する第２の判定手段と、この第２の判定手段により異常があると判定されても本床暖房装置を使用可能に制御する制御装置とを前記中継器に設けたことを特徴とする温水床暖房装置。
【請求項４】
床暖房パネルと熱源機との間で循環ポンプを介して温水を循環させて暖房を行なう暖房装置と、前記熱源機を制御するための遠隔操作器と、室内の壁面に設置され前記遠隔操作器からの制御信号を無線で受信して前記熱源機へ伝達するための中継器とを備えた温水床暖房装置において、本床暖房装置の使用又は不使用に関する契約データを格納する記憶装置と、前記中継器の電源投入後に該中継器の予め定められた所定の操作部が操作されると前記中継器の運転スイッチが操作された後に前記記憶装置に格納された契約データに異常があるか否かを判定する第１の判定手段と、この第１の判定手段が異常が有ると判定したときに前記遠隔操作器の運転スイッチが操作されると再度前記記憶装置に格納された契約データに異常があるか否かを判定する第２の判定手段と、この第２の判定手段により異常があると判定されても本床暖房装置を使用可能に制御する制御装置とを前記中継器に設けたことを特徴とする温水床暖房装置。
【請求項５】
前記記憶装置に格納された前記契約データに基づいて本床暖房装置を使用不可能に制御する場合には、前記制御装置は報知手段にて使用できない旨を報知するように制御することを特徴とする請求項１乃至請求項４のいずれかに記載の温水床暖房装置。
【発明の詳細な説明】
【技術分野】
【０００１】
本発明は、床暖房パネルと熱源機との間で循環ポンプを介して温水を循環させて暖房を行う温水床暖房装置に関する。詳述すれば、床暖房パネルと熱源機との間で循環ポンプを介して温水を循環させて暖房を行なう暖房装置と、前記熱源機を制御するための遠隔操作器と、室内の壁面に設置され前記遠隔操作器からの制御信号を無線で受信して前記熱源機へ伝達するための中継器とを備えた温水床暖房装置に関する。
【背景技術】
【０００２】
この種の温水床暖房装置は、例えば特許文献１などに開示されており、熱源機への制御信号の伝達は、直接前記熱源機を制御する遠隔操作器（リモートコントローラ）が行っている。
【特許文献１】特開２００４−２０００８号公報
【発明の開示】
【発明が解決しようとする課題】
【０００３】
そして、例えばアパートや、ウィークリーマンション等にあっては、利用する部屋には床暖房の設備がなされてあっても、入居者（利用者）によっては温水床暖房装置の使用を望まない方もいる。このため、使用を望まない入居者に対しては、中継器の一部の配線を外して本床暖房装置の使用をできないように施工業者が特別な作業をする必要があったが、記憶装置に格納された温水床暖房装置の使用又は不使用に関する契約データに基づいて、温水床暖房装置を使用又は不使用とすることが考えられる。しかし、前記契約データを格納する記憶装置に異常が発生する場合があると、入居者が使用することの契約をしても使用できない場合が生じるという問題がある。
【０００４】
そこで本発明は、例えば建築時に各部屋の床暖房に係る工事を一括して行ない、温水床暖房装置の使用又は不使用に関する契約データを格納する記憶装置に異常が発生した場合にも、使用の契約をした入居者に渡された遠隔操作器の操作によって使用できるようにすることを目的とする。
【課題を解決するための手段】
【０００５】
このため第１の発明は、床暖房パネルと熱源機との間で循環ポンプを介して温水を循環させて暖房を行なう暖房装置と、前記熱源機を制御するための遠隔操作器と、室内の壁面に設置され前記遠隔操作器からの制御信号を無線で受信して前記熱源機へ伝達するための中継器とを備えた温水床暖房装置において、本床暖房装置の使用又は不使用に関する契約データを格納する記憶装置と、前記中継器の予め定められた所定の操作部が操作されると前記記憶装置に格納された契約データに異常があるか否かを判定する判定手段と、この判定手段が異常が無いと判定したときに前記記憶装置に格納された契約データに基づいて本床暖房装置を使用可能又は使用不可能に制御する制御装置とを前記中継器に設けたことを特徴とする。
【０００６】
第２の発明は、床暖房パネルと熱源機との間で循環ポンプを介して温水を循環させて暖房を行なう暖房装置と、前記熱源機を制御するための遠隔操作器と、室内の壁面に設置され前記遠隔操作器からの制御信号を無線で受信して前記熱源機へ伝達するための中継器とを備えた温水床暖房装置において、本床暖房装置の使用又は不使用に関する契約データを格納する記憶装置と、前記中継器の電源投入後に該中継器の予め定められた所定の操作部が操作されると前記記憶装置に格納された契約データに異常があるか否かを判定する判定手段と、この判定手段が異常が無いと判定したときに前記記憶装置に格納された契約データに基づいて本床暖房装置を使用可能又は使用不可能に制御する制御装置とを前記中継器に設けたことを特徴とする。
【０００７】
第３の発明は、床暖房パネルと熱源機との間で循環ポンプを介して温水を循環させて暖房を行なう暖房装置と、前記熱源機を制御するための遠隔操作器と、室内の壁面に設置され前記遠隔操作器からの制御信号を無線で受信して前記熱源機へ伝達するための中継器とを備えた温水床暖房装置において、本床暖房装置の使用又は不使用に関する契約データを格納する記憶装置と、前記中継器の予め定められた所定の操作部が操作されると前記記憶装置に格納された契約データに異常があるか否かを判定する第１の判定手段と、この第１の判定手段が異常が有ると判定したときに前記遠隔操作器の運転スイッチが操作されると再度前記記憶装置に格納された契約データに異常があるか否かを判定する第２の判定手段と、この第２の判定手段により異常があると判定されても本床暖房装置を使用可能に制御する制御装置とを前記中継器に設けたことを特徴とする。
【０００８】
第４の発明は、床暖房パネルと熱源機との間で循環ポンプを介して温水を循環させて暖房を行なう暖房装置と、前記熱源機を制御するための遠隔操作器と、室内の壁面に設置され前記遠隔操作器からの制御信号を無線で受信して前記熱源機へ伝達するための中継器とを備えた温水床暖房装置において、本床暖房装置の使用又は不使用に関する契約データを格納する記憶装置と、前記中継器の電源投入後に該中継器の予め定められた所定の操作部が操作されると前記中継器の運転スイッチが操作された後に前記記憶装置に格納された契約データに異常があるか否かを判定する第１の判定手段と、この第１の判定手段が異常が有ると判定したときに前記遠隔操作器の運転スイッチが操作されると再度前記記憶装置に格納された契約データに異常があるか否かを判定する第２の判定手段と、この第２の判定手段により異常があると判定されても本床暖房装置を使用可能に制御する制御装置とを前記中継器に設けたことを特徴とする。
【０００９】
第５発明は、第１乃至第４のいずれかの発明において、前記記憶装置に格納された前記契約データに基づいて本床暖房装置を使用不可能に制御する場合には、前記制御装置は報知手段にて使用できない旨を報知するように制御することを特徴とする。
【発明の効果】
【００１０】
本発明は、例えば建築時に各部屋の床暖房に係る工事を一括して行ない、記憶装置に格納された温水床暖房装置の使用又は不使用に関する契約データに基づいて、温水床暖房装置を使用又は不使用とする。そして、温水床暖房装置の使用又は不使用に関する契約データを格納する記憶装置に異常が発生した場合にも、使用の契約をした入居者に渡された遠隔操作器の操作によって使用できるようにすることができる。
【発明を実施するための最良の形態】
【００１１】
以下、本発明の実施の形態を図面に基づき説明する。図１は本発明に係る温水床暖房装置のシステム構成図、図２は制御ブロック図を示したものであり、以下説明する。先ず、１は室外である屋外に設置され、ガスや石油等をバーナＢで燃焼させて、その燃焼熱により加熱される熱交換機２が組み込まれると共にこの熱交換機２につながれた往き管７Ａと戻り管７Ｂとを有する熱源機、３は温水配管が配設され居間などの床に敷設される床暖房パネル、４，５は前記熱源機１と床暖房パネル３との間で温水を循環させるための温水循環用配管、６は前記熱源機１内の戻り管７Ｂの途中に設けられる循環ポンプ、７Ｃはバイパス管、８は流量調整弁である熱動弁（開閉弁）、９はマイクロコンピュータ（以下、「マイコン」という）４１などが配置された制御盤、１０は利用者により操作されて前記熱源機１を制御するための遠隔操作器（リモートコントローラ）、１１は室内の壁面に設置されて前記遠隔操作器１０からの制御信号を無線（赤外線）で受信して前記熱源機１へ伝達するための中継器である。
【００１２】
次に、前記遠隔操作器１０について詳述すると、この遠隔操作器１０にはマイクロコンピュータ（以下、「マイコン」という）１３が設けられ、このマイコン１３には設定温度や時刻などを表示する表示部１４や、運転スイッチ１５、設定温度を設定する際に使用する降温スイッチ１６や昇温スイッチ１７などのキー入力部１８や、このキー入力部１８の操作による命令を前記中継器１１に送信するための赤外線発光部１９等が接続される。
【００１３】
また前記中継器１１について詳述すると、この中継器１１にはマイクロコンピュータ（以下、「マイコン」という）２１が設けられ、このマイコン２１には前記床暖房パネル３が設置される室内の温度を検出する室温検出センサである室温検出サーミスタ２２や、運転中に点灯する運転表示ランプ２３、試運転中に点灯する試運転表示ランプ２４等を有する表示部２６や、運転スイッチ２７などの操作部であるキー入力部２９や、前記遠隔操作器１０の前記赤外線発光部１９からの制御信号を受光する赤外線受光部３２や、この赤外線受光部３２が受光した制御信号やキー入力部２９の操作による命令等を通信線３４を介して前記熱源機１の通信回路３８に伝達するための通信回路３３や、不揮発性メモリであるＥＥＰＲＯＭから構成された記憶装置３６や、非契約である旨を報知する報知手段であるブザー３７等が接続される。
【００１４】
なお、前記遠隔操作器１０の降温スイッチ１６や昇温スイッチ１７などの設定手段の操作により利用者が設定した設定温度データは、マイコン１３内の記憶部（ランダム・アクセス・メモリ）に格納されると共に赤外線発光部１９が発光することにより赤外線受光部３２が受光してマイコン２１の制御により前記中継器１１の記憶装置３６内にも格納される。そして、前記室温検出サーミスタ２２により検出された室内温度データと利用者により設定されて前記記憶装置３６内に格納された設定温度データとの偏差に基づき、前記熱源機１をマイコン２１が制御するものである。
【００１５】
前記熱源機１の制御盤９には、マイコン４１が搭載され、このマイコン４１には通信線３４を介して前記中継器１１の通信回路３３に接続される通信回路３８や、前記循環ポンプ６や熱動弁８を駆動するための駆動回路３９や、バーナＢのガス弁４２や点火器４３を制御するための燃焼制御回路４０等が接続される。
【００１６】
以上のような構成により、図３に示すフローチャートに基づき、実施形態の動作を説明する。先ず、例えばアパートや、ウィークリーマンション等の入居にあたって、入居者（利用者）が温水床暖房装置の使用を望む場合にはその使用の契約を大家等と結び、入居の際に遠隔操作器１０が入居者に渡される。
【００１７】
そして、熱源機１に電源を投入（停電の場合には電源復帰）すると、中継器１１にも電源が投入されることとなる。すると、中継器１１のマイコン２１の動作が開始し、このマイコン２１により記憶装置３６に格納された各種データの内容が確認される。即ち、温水床暖房装置の使用又は不使用に関する契約データの有無や設定温度などの確認がされる。そして、この確認した結果をマイコン２１は自己の記憶部（ランダム・アクセス・メモリ）内に格納する。
【００１８】
ここで、この温水床暖房装置の管理者のみが知っていて、温水床暖房装置の使用を望んでその使用の契約を大家等と結んだ入居者には知らされる予め定められた特別な操作部である、例えば中継器１１の運転スイッチ２７を入居者が押圧操作すると、マイコン２１は記憶装置３６に格納されている温水床暖房装置の使用又は不使用に関する契約データが異常であるか（破損して）否かをチェック（判定）する。そして、異常でなければ、その契約データの内容が契約中のものであるか否かをマイコン２１が判定する。
【００１９】
なお、中継器１１の運転スイッチ２７を特別な操作部としたが、これに限らず、その他のスイッチや、その他の複数のスイッチの同時押圧などでもよい。
【００２０】
そして、契約中であると判定されると、中継器１１のマイコン２１は温水床暖房装置が運転を開始するように制御する。即ち、マイコン２１は通信回路３３に通信線３４を介して通信回路３８へ制御信号を出力するように制御する。そして、この制御信号を熱源機１の通信回路３８が入力するので、マイコン４１は燃焼制御回路４０を介してバーナＢのガス弁４２や点火器４３等を制御すると共に駆動回路３９を介して循環ポンプ６や熱動弁８等を制御し、燃焼が開始される。従って、循環ポンプ６により熱源機１と床暖房パネル３との間を温水循環用配管４及び５を介して温水が循環するが、室温検出サーミスタ２２により検出された室内温度データと利用者により設定されて記憶装置３６に格納された設定温度データとの偏差に基づき、前記熱源機１をマイコン２１が制御するものである。即ち、設定温度と室内温度との偏差によって、マイコン２１が熱動弁８のオン時間とオフ時間とを計算してマイコン４１を介して制御することで、床暖房パネル３への温水供給量を制御して、室温が設定温度となるように制御することとなる。
【００２１】
しかし、記憶装置３６に格納された温水床暖房装置の使用又は不使用に関する契約データからマイコン２１により契約中でないと判定されると、中継器１１の運転スイッチ２７の操作がなされても、温水床暖房装置の運転は開始されず、非契約である旨をブザー３７により所定時間だけ警報報知するようにマイコン２１が制御する。これにより、契約無しでは温水床暖房装置が使用できないこととなる。
【００２２】
なお、前述したように、温水床暖房装置の使用又は不使用に関する契約データが異常である（破損して）か否かをチェックして、異常であるとマイコン２１が判定した場合でも、入居者が遠隔操作器１０の運転スイッチ１５を押圧操作すると、前記遠隔操作器１０の赤外線発光部１９から赤外線受光部３２がこの運転信号を受信するので、この受信後マイコン２１は記憶装置３６に格納されている温水床暖房装置の使用又は不使用に関する契約データが異常であるか否かを再度チェックする。
【００２３】
そして、異常でなければ、その契約データの内容が契約中のものであるか否かマイコン２１が判定し、契約中であると判定されると、マイコン２１は温水床暖房装置が運転を開始するように制御し、契約中でないと判定されると、遠隔操作器１０の運転スイッチ１５の操作がなされても、温水床暖房装置の運転は開始されず、非契約である旨をブザー３７により所定時間だけ警報報知するようにマイコン２１が制御する。
【００２４】
しかし、温水床暖房装置の使用又は不使用に関する契約データが異常であるか否かをマイコン２１がチェックして、異常であるとマイコン２１が判定した場合でも、マイコン２１は温水床暖房装置が運転を開始するように制御する。
【００２５】
即ち、例えばアパート等の入居にあたって、入居者が温水床暖房装置の使用を望む場合にはその使用の契約を大家等と結び、入居の際に遠隔操作器１０が入居者に渡され、中継器１１の運転スイッチ２７を押圧操作しても温水床暖房装置の運転が開始されないので、遠隔操作器１０の運転スイッチ１５の押圧操作をした場合には、契約データが異常であるものの入居の際に遠隔操作器１０が入居者に渡されているので（契約中であるので）、マイコン２１は運転を開始させるように制御する。
【００２６】
このように制御するのは、温水床暖房装置の使用又は不使用に関する契約データが異常であるものの、契約中であるので、入居者の便宜のため、温水床暖房装置の使用に供するためである。
【００２７】
以上のように、本発明は建築時に各部屋の床暖房に係る工事を一括して行ない、記憶装置に格納された温水床暖房装置の使用又は不使用に関する契約データに基づいて、温水床暖房装置を使用又は不使用とする。そして、温水床暖房装置の使用又は不使用に関する契約データを格納する記憶装置に異常が発生した場合にも、使用の契約をした入居者に渡された遠隔操作器の操作によって使用できるようにすることができる。即ち、記憶装置に異常が発生した場合に、「契約」に固定すると、中継器の運転スイッチ操作で非契約者も床暖房を使用できることとなって管理者に不利益となり、「非契約」に固定すると、契約者にとっては使用できないので不利益となるが、入居の際に渡された遠隔操作器の運転スイッチの操作で使用が可能となり、入居者の便宜となる。
【００２８】
なお、以上本発明の実施態様について説明したが、上述の説明に基づいて当業者にとって種々の代替例、修正又は変形が可能であり、本発明の趣旨を逸脱しない範囲で前述の種々の代替例、修正又は変形を包含するものである。
【図面の簡単な説明】
【００２９】
【図１】温水床暖房装置のシステム構成図である。
【図２】制御ブロック図である。
【図３】実施形態のフローチャートを示す図である。
【符号の説明】
【００３０】
１              熱源機
３              床暖房パネル
１０            遠隔操作器
１１            中継器
１５            運転スイッチ
２１            マイコン
２７            運転スイッチ
３６            記憶装置
【図１】
2006029730.tif 000003
【図２】
2006029730.tif 000004
【図３】
2006029730.tif 000005